(57)【特許請求の範囲】
【請求項１】
壁と天井とが接続する接続部に取り付けられて壁躯体の換気を行う筒状換気金物に於て、
前記天井に取付ける天井取付片と、
前記天井取付片の一端部から垂下する水切片と、
前記水切片の下端部から水平方向に開口される通気口を隔てて水平に配置され、前記壁の上縁に当接する壁取付片と、
前記壁取付片の一端部から起立する起立奥片と、
前記壁取付片の上方で、かつ前記天井取付片の他端部にほぼ垂直に接続される水返し部と、
前記水返し部の下端部と前記起立奥片の上端部とに傾斜して接続される傾斜立上り部と、
前記傾斜立上り部の所定位置に設けられた換気孔と、
を有し、
前記水切片、前記天井取付片、前記水返し部、前記傾斜立上り部、前記起立奥片及び前記壁取付片により換気金物全体が筒状に形成され、前記天井と前記壁の上縁との隙間に前記天井取付片、前記起立奥片及び前記壁取付片を挿入して前記通気口側から前記天井取付片を前記天井に固定可能としたことを特徴とした壁の換気金物。
【請求項２】
前記傾斜立上り部に換気孔を設けた部分と設けない部分とを交互に形成し、かつこれ等の換気孔を設けた部分と設けない部分との境部の筒内に仕切板を設けて筒内を複数ブロックに区分したことを特徴とした請求項１の壁の換気金物。
【請求項３】
前記傾斜立上り部に換気孔を設けた筒状の換気金物部材と、前記傾斜立上り部に換気孔を設けない筒状の換気金物部材とをジョイント部材を介して相互に連結して構成したことを特徴とした請求項１或は請求項２の壁の換気金物。
【請求項４】
前記筒状換気金物の所定位置に不燃性体積膨張材を取付けて構成したことを特徴とした請求項１乃至請求項３の壁の換気金物。
【請求項５】
請求項１〜４の何れか１項に記載の換気金物を壁と天井との接続部に設けた隙間に設置し、前記天井取付片を前記天井に取付けると共に前記壁取付片を前記壁の上縁に取付けて構成したことを特徴とした壁の換気構造。
【発明の詳細な説明】
【０００１】
【発明の属する技術分野】
本発明は、壁の換気に用いられる換気金物とその換気金物を壁と天井との接続部に取付けて構成した換気構造に係り、特に筒状換気金物の一部にほぼ垂直の水返し部と所定位置に換気孔を有する傾斜立上り部とを設けて構成した換気金物と、この換気金物を壁と天井との接続部の隙間に設置して構成した壁の換気構造に関するものである。
【０００２】
【従来の技術】
近年の建築物に於ては、建築物の寿命の向上を図る為に、壁、特に外壁と下地との間に通気層を設けて土台部分から外壁上部に通気を図る工法、所謂通気工法を採用している事例がある。
【０００３】
この通気工法に於て、外壁の上部と天井、特に軒天井との間に形成される通気見切りとなる壁の換気構造としては、例えば、特開平８−１３６３６号公報（第１公知技術）、実開平６−７８４１４号公報（第２公知技術）或は特開平１１−２２０４２号公報（第３公知技術）等が知られている。
【０００４】
前記第１公知技術は、金属板を折曲形成した角筒の屋外側逆傾斜面に排気口を設けると共に室内側の起立面に吸気口を設けた見切部材を構成し、かつこの見切部材を軒天井と外壁との間に形成された隙間の軒天井側に取付け、さらに該見切部材の下面と外壁との隙間に弾性見切ジョイナーを押し込んで構成して、壁躯体内に設けられた通気層内の空気を排気するようにした通気見切り構造の技術である。
【０００５】
前記第２公知技術は、壁下地構造と壁板との間に通気間隔を設け、かつこの通気間隔の上下の開口部に所定の高温度に達した際に発泡することが出来る耐火性発泡材を取付けておき、火災が発生した際に、この耐火性発泡材が発泡して、前記通気間隔の開口部を閉鎖して、屋内に火炎や熱気が侵入することを防止するように構成した通気壁の防火構造に関する技術である。
【０００６】
さらに、前記第３公知技術は、外壁と壁下地材との間に換気空間を設け、軒天井板と外壁との間に該換気空間に連通する換気通路を形成し、かつこの換気通路に面する軒天井板の端縁に垂直な水切りを取付けて構成した換気構造に関する技術である。
【０００７】
【発明が解決しようとする課題】
然るに、前述の第１公知技術に於ては、前述のように軒天井と外壁との接合部に角筒状換気金物を配置し、かつこの角筒状換気金物の室内側起立面に吸気口を設けると共に屋外側逆傾斜面に排気口を設けた構造であるので、台風時等に於ては、排気口から吸気口を通じて雨水が壁体内に簡単に吹き込む可能性があった。さらに、防火についても特に考慮されていないので火災時には前述の雨水と同様な経路を通って火炎や熱気が建物内部に侵入し、火災の拡大を招く問題があった。
【０００８】
かつ、前述の第２公知技術に於ては、壁下地構造と壁板との間に設けられた通気間隔の開口部に耐火性発泡材を取付けて構成したので、火災時には、耐火性発泡材が発泡して開口部を閉鎖するので火炎や熱気が建物内に侵入することを防止出来るが、防水上の対策はなされていなかった。
【０００９】
さらに、前述の第３公知技術に於ては、軒天井板と外壁との間に外壁内に形成された換気空間に連通する換気通路を設け、かつこの換気通路の軒天井板側に垂直な水切りを取付けて構成した構造であるので、前述の公知技術と全く同様に、台風時には雨水が壁体内に吹き込む可能性があり、かつ火災時には火炎や熱気が建物内部に侵入して火災の拡大を招く問題があった。
【００１０】
本発明の壁の換気金物及び換気構造は、前述の従来の多くの問題点に鑑み開発された全く新しい技術であって、特に筒状の金物の下部に水切片に沿って通気口を設け、かつ該筒状換気金物内の奥上部にほぼ垂直の水返し部を形成すると共にこの水返し部に沿ってその裏側に所定位置に換気孔を有する傾斜立上り部を設けて換気金物を構成したので、この換気金物を壁と天井とが接続する接続部に取付けることによって、台風時或は火災時に雨水或は火炎、熱気が建物内に侵入することを防止し得る全く新しい技術を提供するものである。
【００１１】
【課題を解決するための手段】
本発明に係る壁の換気金物は、前述の従来の問題点に鑑み開発された発明であって、その第１発明の要旨は、壁と天井とが接続する接続部に取り付けられて壁躯体の換気を行う筒状換気金物に於て、壁と天井とが接続する接続部に取り付けられて壁躯体の換気を行う筒状換気金物に於て、前記天井に取付ける天井取付片と、前記天井取付片の一端部から垂下する水切片と、前記水切片の下端部から水平方向に開口される通気口を隔てて水平に配置され、前記壁の上縁に当接する壁取付片と、前記壁取付片の一端部から起立する起立奥片と、前記壁取付片の上方で、かつ前記天井取付片の他端部にほぼ垂直に接続される水返し部と、前記水返し部の下端部と前記起立奥片の上端部とに傾斜して接続される傾斜立上り部と、前記傾斜立上り部の所定位置に設けられた換気孔とを有し、前記水切片、前記天井取付片、前記水返し部、前記傾斜立上り部、前記起立奥片及び前記壁取付片により換気金物全体が筒状に形成され、前記天井と前記壁の上縁との隙間に前記天井取付片、前記起立奥片及び前記壁取付片を挿入して前記通気口側から前記天井取付片を前記天井に固定可能としたことを特徴とした壁の換気金物である。
【００１２】
前述の第１発明の換気金物に於ては、筒状換気金物の下面の壁取付片に通気口が開口されると共に、この通気口は垂直な水切片に沿って設けられているので、台風時或は火災時に通気口より侵入しようとする雨水や火炎、熱気を該水切片によって防ぐことが出来る。
【００１３】
また、筒状換気金物内の上奥部、即ち天井取付片と起立奥片との接続部には、ほぼ垂直に下方向にたれ下がっている水返し部を設けたので、仮に雨水や火炎等が前記通気口を通って筒状換気金物内に侵入して来た場合にも、この水返し部によって、雨水や火炎等がより深く侵入することを防止出来る。
【００１４】
さらに、前記下方にほぼ垂直にたれ下がっている水返し部に連続してその裏側（奥側）に傾斜立上り部を設けると共に、その傾斜立上り部の所定位置に換気孔を穿設したので、仮に前記水返し部で浸入が防止された雨水や火炎等が前記換気孔を通過して建物内に侵入することを完全に防止出来る。
【００１５】
本発明に係る壁の換気金物の第２発明の要旨は、前記傾斜立上り部に換気孔を設けた部分と設けない部分とを交互に形成し、かつこれ等の換気孔を設けた部分と設けない部分との境部の筒内に仕切板を設けて筒内を複数ブロックに区分したことを特徴とした第１発明の壁の換気金物である。
【００１６】
前述の第２発明に於ては、換気金物に設けた傾斜立上り部に換気孔を設けた部分と設けない部分とを交互に形成し、かつこれに対応して両者の境部の筒内に仕切板を設けて筒内を数ブロックに区分したので、筒状換気金物の一部から筒内に侵入して来た雨水や火炎等が筒内で軸方向に拡散することを防止することが出来る。
【００１７】
本発明に係る壁の換気金物の第３発明の要旨は、前記傾斜立上り部に換気孔を設けた筒状の換気金物部材と、前記傾斜立上り部に換気孔を設けない筒状の換気金物部材とをジョイント部材を介して相互に連結して構成したことを特徴とした第１発明或は第２発明の壁の換気金物である。
【００１８】
前述の第３発明に於ては、前記壁の換気金物を構成するに当って、傾斜立上り部に換気孔を設けた筒状の換気金物部材と、傾斜立上り部に換気孔を設けない筒状の換気金物部材との二種類の部材を予め作成しておき、これ等をジョイント部材を介して相互に連結して壁の換気金物を構成したので、製造が容易で取扱いに便利であり、かつ建築現場で簡単に組立構成することが出来る。
【００１９】
本発明に係る壁の換気金物の第４発明の要旨は、前記筒状換気金物の所定位置に不燃性体積膨張材を取付けて構成したことを特徴とした第１発明乃至第３発明の換気金物である。
【００２０】
前述の第４発明に於ては、筒状換気金物の所定位置に不燃性体積膨張材を取付けて構成したので、仮に筒状換気金物内に火炎や熱気が侵入して筒状換気金物が一定の温度に加熱された時には、この不燃性体積膨張材が加熱発泡して膨張し、隣接する傾斜立上り部に設けられた換気孔を完全に閉鎖することが出来る。
【００２１】
本発明に係る壁の換気構造の要旨は、前記第１〜第４発明の換気金物を壁と天井との接続部に設けた隙間に設置し、前記天井取付片を前記天井に取付けると共に前記壁取付片を前記壁の上縁に取付けて構成したことを特徴とした壁の換気構造である。
【００２２】
前述の壁の換気構造に於ては、既に陳述して来たような水切片、通気口、水返し部、所定位置に換気孔が設けられた傾斜立上り部等を有する筒状の換気金物を壁と天井との接続部に設けた隙間に設置して構成したので、台風時や火災時に雨水や火炎、熱気等が建物内に侵入することを完全に防止することが出来る。
【００２３】
【発明の実施の形態】
図により本発明に係る壁の換気金物及び換気構造の一実施例を具体的に説明すると、図１は本発明に係る壁の換気金物の斜視説明図、図２（ａ）、（ｂ）、（ｃ）は夫々図１の換気金物の要部の説明図である。
【００２４】
図３は２種類の換気金物部材を内ジョイントで接合して壁の換気金物を構成する状態の斜視説明図、図４は外ジョイントを用いて壁の換気金物を構成する状態の斜視説明図である。
【００２５】
図５は本発明に係る換気構造の要部の縦断面図、図６は他側の壁の換気金物の斜視説明図、図７（ａ）、（ｂ）は夫々図６の壁の換気金物を使用した換気構造の縦断面説明図である。
【００２６】
図１及び図２（ａ）、（ｂ）、（ｃ）に於て、１は本発明に係る壁の換気金物であって、金属板をロールホーミング等の成形方法を用いて折曲加工することによって筒状に形成されている。
【００２７】
この壁の換気金物１の断面形状は、特に図２（ａ）に示す如く、水切片２、天井取付片３、起立奥片４及び壁取付片５によってほぼ４角形状に形成されている。そして壁取付片５には水切片２に沿って通気口６が開口されている。
【００２８】
前記天井取付片３と起立奥片４との接続部にはほぼ垂直に下方向にたれ下がった形状を有する水返し部７と傾斜立上り部８とが夫々筒内の奥側上部に突出するように連設して設けられ、さらにこの傾斜立上り部８の所定位置には複数の換気孔９が穿設されて構成されている。また、天井取付片３の所定位置には取付孔１０が穿設されている。
【００２９】
前記傾斜立上り部８には、特に図１に示す如く、所定の間隔を保って換気孔９が設けられた部分と全く無い部分とが交互にあり、かつこれ等の境部に対応する壁の換気金物１内には不燃性の仕切板１１が取付けられており、該壁の換気金物１内を複数のブロックに分割している。前記仕切板１１は特に図２（ｃ）に明らかな如く、ほぼ逆Ｕ字形を有しており、その頂部には取付孔１０が穿設されている。
【００３０】
前述の壁の換気金物１には、仕切板１１によって複数ブロックに分割され、かつ換気孔９が設けられた部分と、全く設けられていない部分とが交互にあるので、換気孔９が設けられたブロックのみに於て通気口６と連通させて換気をすることが出来るように構成されている。従って、壁の換気金物１内に雨水や火炎等が侵入した場合も、これ等の雨水や火炎は仕切りによって壁の換気金物１の軸方向に拡散することがないように構成されている。
【００３１】
前記実施例に於ては、１個の壁の換気金物１内に仕切板１１を取付けることによって、壁の換気金物１内を複数ブロックに分割したが、図３或は図４に示す如く、予め換気孔９が設けられた筒状の換気金物部材１２と、換気孔９が設けられていない筒状の換気金物部材１３とを夫々別々に成形しておき、これ等を内ジョイント１４或は外ジョイント１５を介して相互に連結することによって壁の換気金物１を構成することも可能である。
【００３２】
前述のように、２種類の筒状の換気金物部材１２、１３を形成する場合には、製造が容易であり、かつ部材が短いので、搬送、保管及び取扱いが容易である。また建築現場に於て、ジョイント１４、１５を使用することによって、壁の換気金物１を簡単に組立構成することが出来る。
【００３３】
次に、前述の壁の換気金物１を用いて本発明に係る換気構造を構成する工程を図５に於て説明すると次の通りである。
【００３４】
即ち、図５に於て、１６は軒天井板であって、取付ネジ１７を介して軒天井下地１８と共に建物躯体１９に取付けられている。２０は外壁であって、この外壁２０の裏側には建物の壁面を形成する合板２１、防水シート２２が設けられている。該外壁２０と防水シート２２との間には空気を流通させることが出来る通気層２３が設けられている。
【００３５】
前記の軒天井板１６と外壁２０の上縁との間には前記外壁２０の裏側に設けられた通気層２３と連通する通気用の隙間２４が設けられており、かつこの隙間２４内には前記壁の換気金物１が挿入されて取付けられている。即ち壁の換気金物１の天井取付片３が前記取付ネジ１７によって軒天井板１６に固定され、かつ壁取付片５が外壁２０の上端縁に載置されている。
【００３６】
このようにして構成された本発明に係る換気構造に於ては、壁の換気金物１の通気口６及び換気孔９を介して外壁２０の裏側に設けられた通気層２３を外気と矢印のように通気させることが出来る。
【００３７】
そして、台風等で雨水が壁の換気金物１内に侵入しようとした際、或は火災で火炎或は熱気等が壁の換気金物１内に侵入しようとした際には、先ず第１段階で水切片２でこれ等の侵入を防ぐことが出来る。そして、この水切片２で侵入を阻止できずに壁の換気金物１内に侵入して来た場合には、今度は第２段階で換気金物１内の上奥にほぼ垂直にたれ下がって形成されている水返し部７によって、雨水或は火炎等がそれ以上奥側に侵入することを防止出来る。
【００３８】
さらに、換気孔９が設けられた傾斜立上り部８は全体が傾斜面となっていると共に、前記水返し部７の裏側に配置されているので、雨水、火炎、熱気等が換気孔９を通過することをより困難にし、これによって雨水、火炎、熱気等が通気層２３内に侵入することをほぼ完全に防止することが出来る。
【００３９】
本発明に係る壁の換気金物１には、図６及び図７（ａ）、（ｂ）に示す如く、不燃性体積膨張材２５を取付け、火災時に壁の換気金物１或はその周りの温度が一定の高温度に達した場合には、この不燃性体積膨張材２５を加熱発泡させ、これによって壁の換気金物１に設けられた換気孔９をこの不燃性体積膨張材２５によって完全に閉鎖し、火炎或は熱気等が建物に侵入することを完全に防止することが出来る。
【００４０】
前述の不燃性体積膨張材２５は、図６及び図７（ａ）、（ｂ）に示す如く、壁の換気金物１の水返し部７の外壁に取付けられており、壁の換気金物１或はその周りの温度が一定の温度に達した際に大きく膨張し、これによって特に図７（ｂ）に示す如く、傾斜立上り部８に設けられた換気孔９を外側から完全に閉鎖し得る如く構成されている。この不燃性体積膨張材２５は、水返し部７の外に起立奥片４の内側面或は壁取付片５の上面に沿って取付けることも可能である。
【００４１】
前記実施例に於ては、外壁２０と軒天井板１６との隙間に換気構造を構成したが、室内側の天井板と壁との隙間にもこのような換気構造を構成することは可能である。また、外壁２０の途中の中間部にこの換気構造を構成して、外壁２０の裏側に設けられた通気層２３を換気するように構成することも可能である。
【００４２】
【発明の効果】
本発明の換気金物に於ては、筒状換気金物の下面の壁取付片に通気口が開口されると共に、この通気口は垂直な水切片に沿って設けられているので、台風時或は火災時に通気口より侵入しようとする雨水や火炎、熱気を該水切片によって防ぐことが出来る効果を有している。
【００４３】
また、筒状換気金物内の上奥部、即ち天井取付片と起立奥片との接続部には、ほぼ垂直に下方向にたれ下がっている水返し部を設けたので、仮に雨水や火炎等が前記通気口を通って筒状換気金物内に侵入して来た場合にも、この水返し部によって、雨水や火炎等がより深く侵入することを防止出来る効果を有している。
【００４４】
さらに、前記下方にほぼ垂直にたれ下がっている水返し部に連続してその裏側（奥側）に傾斜立上り部を設けると共に、その傾斜立上り部の所定位置に換気孔を穿設したので、仮に前記水返し部で浸入が防止された雨水や火炎等が前記換気孔を通過して建物内に侵入することを防止出来る効果を有している。
【００４５】
かつ、換気金物に設けた傾斜立上り部に換気孔を設けた部分と設けない部分とを交互に形成し、かつこれに対応して両者の境部の筒内に仕切板を設けて筒内を数ブロックに区分した場合には、筒状換気金物の一部から筒内に侵入して来た雨水や火炎等が筒内で軸方向に拡散することを防止することが出来る等の効果を有している。
【００４６】
また、前記壁の換気金物を構成するに当って、傾斜立上り部に換気孔を設けた筒状の換気金物部材と、傾斜立上り部に換気孔を設けない筒状の換気金物部材との二種類の部材を予め用意しておき、これ等をジョイント部材を介して相互に連結して壁の換気金物を構成した場合には、製造が容易で取扱いに便利であり、かつ建築現場で簡単に組立構成することが出来る等の効果を有している。
【００４７】
さらに、筒状換気金物の所定位置に不燃性体積膨張材を取付けて構成した場合には、仮に筒状換気金物内に火炎や熱気が侵入して筒状換気金物が一定の温度に加熱された時には、この不燃性体積膨張材が加熱発泡して膨張し、隣接する傾斜立上り部に設けられた換気孔を完全に閉鎖することが出来る等の効果を有している。
【００４８】
前述の壁の換気構造に於ては、既に詳述して来たような水切片、通気口、水返し部、所定位置に換気孔が設けられた傾斜立上り部等を有する筒状の換気金物を壁と天井との接続部に設けた隙間に設置して構成したので、台風時や火災時に雨水や火炎、熱気等が建物内に侵入することを完全に防止することが出来る効果を有している。
【図面の簡単な説明】
【図１】  本発明に係る壁の換気金物の斜視説明図である。
【図２】  図２（ａ）、（ｂ）、（ｃ）は夫々図１の換気金物の要部の説明図である。
【図３】  ２種類の換気金物部材を内ジョイントで接合して壁の換気金物を構成する状態の斜視説明図である。
【図４】  外ジョイントを用いて壁の換気金物を構成する状態の斜視説明図である。
【図５】  本発明に係る換気構造の要部の縦断面図である。
【図６】  他側の壁の換気金物の斜視説明図である。
【図７】  図７（ａ）、（ｂ）は夫々図６の壁の換気金物を使用した換気構造の縦断面説明図である。
【符号の説明】
１ …壁の換気金物
２ …水切片
３ …天井取付片
４    …起立奥片
５    …壁取付片
６    …通気口
７    …水返し部
８    …傾斜立上り部
９    …換気孔
１０  …取付孔
１１  …仕切板
１２  …換気孔９が設けられた筒状の換気金物部材
１３  …換気孔９が設けられていない筒状の換気金物部材
１４  …内ジョイント
１５  …外ジョイント
１６  …軒天井板
１７  …取付ネジ
１８  …軒天井下地
１９  …建築躯体
２０  …外壁
２１  …合板
２２  …防水シート
２３  …通気層
２４  …通気用の隙間
２５  …不燃性体積膨張材
【図１】
0004458450.tif 000002
【図２】
0004458450.tif 000003
【図３】
0004458450.tif 000004
【図４】
0004458450.tif 000005
【図５】
0004458450.tif 000006
【図６】
0004458450.tif 000007
【図７】
0004458450.tif 000008